(57)【要約】  ワイヤレス通信環境におけるマルチモードシステムスキャンのタイミングを最適化するためのデバイスおよび方法を提供する。１つの実施形態では、方法は、移動体エンティティ（ＭＥ）の、ロケーションと動きとのうちの少なくとも１つを決定することを含む。方法は、ＭＥの、ロケーションと動きとのうちの少なくとも１つに基づいて、好ましいシステムスキャン間のタイマーを調節することを含む。例えば、決定することは、動きセンサ（例えば、加速度計および／または電圧制御発振器累算器）を利用して、ＭＥの動きを検出すること、ならびに／あるいは、グローバルポジショニングシステムまたはこれに類するものから信号を受信することを含む。【選択図】  図９
2013502855.tif 000002
【特許請求の範囲】
【請求項１】
ワイヤレス通信システム中で移動体エンティティ（ＭＥ）により動作可能な方法において、
前記ＭＥの、ロケーションと動きとのうちの少なくとも１つを決定することと、
前記ＭＥの、前記ロケーションと前記動きとのうちの少なくとも１つに基づいて、好ましいシステムスキャン間のタイマーを調節することとを含む方法。
【請求項２】
決定することは、動きセンサを利用して、前記ＭＥの前記動きを検出することを含む請求項１記載の方法。
【請求項３】
前記動きセンサは、加速度計と電圧制御発振器（ＶＣＯ）累算器とのうちの少なくとも１つを含む請求項２記載の方法。
【請求項４】
決定することは、グローバルポジショニングシステム（ＧＰＳ）から信号を受信することを含む請求項１記載の方法。
【請求項５】
決定することは、
サービシングセルと隣接するセルとのうちの１つに対するセル識別子を取得することと、
前記セル識別子を使用して、前記担当セルと前記隣接するセルとのうちの１つに関係する基地局のポジションデータにアクセスすることと、
前記基地局のポジションデータに基づいて、前記ＭＥの、前記ロケーションと前記動きとのうちの少なくとも１つを近似することとを含む請求項１記載の方法。
【請求項６】
決定することは、
前記ＭＥと担当基地局とのうちの１つからの規定された距離内の基地局の隣接リストにアクセスすることと、
前記隣接リストを使用して、前記基地局のポジションデータにアクセスすることと、
前記基地局のポジションデータに基づいて、前記ＭＥの、前記ロケーションと前記動きとの少なくとも１つを近似することとを含む請求項１記載の方法。
【請求項７】
基地局は、マクロ基地局とフェムト基地局とのうちの少なくとも１つを含む請求項６記載の方法。
【請求項８】
決定することは、前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似することを含む請求項１記載の方法。
【請求項９】
決定することは、前記ＭＥが電源投入されたことに応答して、テクノロジーオーダーテーブル（ＴＯＴ）を使用して、前記ＭＥの前記ロケーションを近似することを含む請求項１記載の方法。
【請求項１０】
前記ＴＯＴ上の利用可能なシステムのサブセットに、好ましいシステムスキャンを集中させることをさらに含む請求項９記載の方法。
【請求項１１】
調節することは、前記動きが最小の動きしきい値を満たすことを検出することに応答して、前記タイマーを減少させることを含む請求項１記載の方法。
【請求項１２】
調節することは、前記動きが最小の動きしきい値を満たさないことを検出することに応答して、前記タイマーを増加させることを含む請求項１記載の方法。
【請求項１３】
調節することは、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させることを含む請求項１記載の方法。
【請求項１４】
前記以前のＭＥロケーションは、前記以前の好ましいシステムが捕捉されたときに、前記ＭＥがどこに存在していたかに対応している請求項１３記載の方法。
【請求項１５】
調節することは、以前のＭＥロケーションと比較した前記ＭＥロケーションにおける変化が、ロケーション変化しきい値を満たさないことを検出することに応答して、前記タイマーを増加させることを含む請求項１記載の方法。
【請求項１６】
マルチモードロケーションアソシエーション優先度リスト（ＭＬＰＬ）にしたがって、好ましいシステムスキャンを実行することをさらに含む請求項１記載の方法。
【請求項１７】
実行することは、前記ＭＥが位置付けられているロケーショングループを識別することを含み、前記ロケーショングループは、地理的エリア中の複数のシステムを含む請求項１６記載の方法。
【請求項１８】
実行することは、前記地理的エリア中の前記複数のシステムをランク順序付けすることにより、前記システム優先度リストを構築することをさらに含む請求項１７記載の方法。
【請求項１９】
識別することは、前記ＭＥの最も最近使用した周波数をスキャンすることを含む請求項１７記載の方法。
【請求項２０】
規定された期間中に前記ＭＥが訪れた以前のシステムをキャッシュすることと、
好ましいシステムスキャンの間、前記以前のシステムのうちの少なくとも１つに関係する、所定の周波数と所定のセルとのうちの少なくとも１つを避けることとをさらに含む請求項１記載の方法。
【請求項２１】
前記タイマーは、複数の利用可能なシステムに対するデフォルトタイマーを含む請求項１記載の方法。
【請求項２２】
帯域および無線アクセス技術（ＲＡＴ）の、移動体国コード（ＭＣＣ）特有な、または、ＭＣＣ／移動体ネットワークコード（ＭＮＣ）特有なリスティングを含むテーブルに基づいて、前記ＭＥによりサポートされる前記帯域と前記ＲＡＴとのサブセットに、所定の好ましいシステムスキャンを制限することをさらに含む請求項１記載の方法。
【請求項２３】
装置において、
移動体エンティティ（ＭＥ）の、ロケーションと動きとのうちの少なくとも１つを決定し、前記ＭＥの、前記ロケーションと前記動きとのうちの少なくとも１つに基づいて、好ましいシステムスキャン間のタイマーを調節するように構成されている少なくとも１つのプロセッサと、
前記少なくとも１つのプロセッサに結合され、データを記憶するメモリとを具備する装置。
【請求項２４】
前記ＭＥの前記動きを検出する動きセンサをさらに具備する請求項２３記載の装置。
【請求項２５】
前記少なくとも１つのプロセッサと動作不能に通信するグローバルポジショニングシステム（ＧＰＳ）受信機をさらに具備する請求項２３記載の装置。
【請求項２６】
前記少なくとも１つのプロセッサは、
サービシングセルと隣接するセルとのうちの１つに対するセル識別子を取得し、
前記セル識別子を使用して、前記担当セルと前記隣接するセルとのうちの１つに関係する基地局のポジションデータにアクセスし、
前記基地局のポジションデータに基づいて、前記ＭＥの、前記ロケーションと前記動きとのうちの少なくとも１つを近似する請求項２３記載の装置。
【請求項２７】
前記少なくとも１つのプロセッサは、前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似する請求項２３記載の装置。
【請求項２８】
前記少なくとも１つのプロセッサは、前記動きが最小の動きしきい値を満たすことを検出することに応答して、前記タイマーを減少させる請求項２３記載の装置。
【請求項２９】
前記少なくとも１つのプロセッサは、前記動きが最小の動きしきい値を満たさないことを検出することに応答して、前記タイマーを増加させる請求項２３記載の装置。
【請求項３０】
前記少なくとも１つのプロセッサは、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させる請求項２３記載の装置。
【請求項３１】
前記少なくとも１つのプロセッサは、以前のＭＥロケーションと比較した前記ＭＥロケーションにおける変化が、ロケーション変化しきい値を満たさないことを検出することに応答して、前記タイマーを増加させる請求項２３記載の装置。
【請求項３２】
前記少なくとも１つのプロセッサは、システム優先度リストにしたがって、好ましいシステムスキャンを実行する請求項２３記載の装置。
【請求項３３】
前記タイマーは、複数の利用可能なシステムに対するデフォルトタイマーを含む請求項２３記載の装置。
【請求項３４】
帯域および無線アクセス技術（ＲＡＴ）の、移動体国コード（ＭＣＣ）特有な、または、ＭＣＣ／移動体ネットワークコード（ＭＮＣ）特有なリスティングを含むテーブルに基づいて、前記ＭＥによりサポートされる前記帯域と前記ＲＡＴとのサブセットに、所定の好ましいシステムスキャンを制限することをさらに含む請求項２３記載の装置。
【請求項３５】
装置において、
移動体エンティティ（ＭＥ）の、ロケーションと動きとのうちの少なくとも１つを決定する手段と、
前記ＭＥの、前記ロケーションと前記動きとのうちの少なくとも１つに基づいて、好ましいシステムスキャン間のタイマーを調節する手段とを具備する装置。
【請求項３６】
前記ＭＥの前記動きを感知する手段をさらに具備する請求項３５記載の装置。
【請求項３７】
グローバルポジショニングシステム（ＧＰＳ）信号を受信する手段をさらに具備する請求項３５記載の装置。
【請求項３８】
サービシングセルと隣接するセルとのうちの１つに対するセル識別子を取得する手段と、
前記セル識別子を使用して、前記担当セルと前記隣接するセルとのうちの１つに関係する基地局のポジションデータにアクセスする手段と、
前記基地局のポジションデータに基づいて、前記ＭＥの、前記ロケーションと前記動きとのうちの少なくとも１つを近似する手段とをさらに具備する請求項３５記載の装置。
前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似する手段をさらに具備する請求項３５記載の装置。
【請求項３９】
前記動きが最小の動きしきい値を満たすことを検出することに応答して、前記タイマーを減少させる手段をさらに具備する請求項３５記載の装置。
【請求項４０】
前記動きが最小の動きしきい値を満たさないことを検出することに応答して、前記タイマーを増加させる手段をさらに具備する請求項３５記載の装置。
【請求項４１】
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させる手段をさらに具備する請求項３５記載の装置。
【請求項４２】
以前のＭＥロケーションと比較した前記ＭＥロケーションにおける変化が、ロケーション変化しきい値を満たさないことを検出することに応答して、前記タイマーを増加させる手段をさらに具備する請求項３５記載の装置。
【請求項４３】
システム優先度リストにしたがって、好ましいシステムスキャンを実行する手段をさらに具備する請求項３５記載の装置。
【請求項４４】
コンピュータプログラムプロダクトにおいて、
コンピュータ読取可能媒体を含み、
前記コンピュータ読取可能媒体は、
移動体エンティティ（ＭＥ）の、ロケーションと動きとのうちの少なくとも１つをコンピュータに決定させるためのコードと、
前記ＭＥの、前記ロケーションと前記動きとのうちの少なくとも１つに基づいて、好ましいシステムスキャン間のタイマーを前記コンピュータに調節させるためのコードとを有するコンピュータプログラムプロダクト。
【請求項４５】
前記コンピュータ読取可能媒体は、前記ＭＥの前記動きを前記コンピュータに感知させるためのコードをさらに含む請求項４４記載のコンピュータプログラムプロダクト。
【請求項４６】
前記コンピュータ読取可能媒体は、グローバルポジショニングシステム（ＧＰＳ）信号を前記コンピュータに受信させるためのコードをさらに含む請求項４４記載のコンピュータプログラムプロダクト。
【請求項４７】
前記コンピュータ読取可能媒体は、
サービシングセルと隣接するセルとのうちの１つに対するセル識別子を前記コンピュータに取得させるためのコードと、
前記コンピュータに、前記セル識別子を使用させて、前記担当セルと前記隣接するセルとのうちの１つに関係する基地局のポジションデータにアクセスさせるためのコードと、
前記基地局のポジションデータに基づいて、前記ＭＥの、前記ロケーションと前記動きとのうちの少なくとも１つを前記コンピュータに近似させるためのコードとをさらに含む請求項４４記載のコンピュータプログラムプロダクト。
【請求項４８】
前記コンピュータ読取可能媒体は、前記コンピュータに、前記ＭＥが位置付けられている地理的エリア内の、担当セルとローミングセルとのうちの少なくとも１つに関する発見的データを使用させて、前記ＭＥの、前記ロケーションと前記動きとのうちの少なくとも１つを近似させるためのコードをさらに含む請求項４４記載のコンピュータプログラムプロダクト。
【請求項４９】
前記コンピュータ読取可能媒体は、前記動きが最小の動きしきい値を満たすことを検出することに応答して、前記タイマーを前記コンピュータに減少させるためのコードをさらに含む請求項４４記載のコンピュータプログラムプロダクト。
【請求項５０】
前記コンピュータ読取可能媒体は、前記動きが最小の動きしきい値を満たさないことを検出することに応答して、前記タイマーを前記コンピュータに増加させるためのコードをさらに含む請求項４４記載のコンピュータプログラムプロダクト。
【請求項５１】
前記コンピュータ読取可能媒体は、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを前記コンピュータに減少させるためのコードをさらに含む請求項４４記載のコンピュータプログラムプロダクト。
【請求項５２】
前記コンピュータ読取可能媒体は、以前のＭＥロケーションと比較した前記ＭＥロケーションにおける変化が、ロケーション変化しきい値を満たさないことを検出することに応答して、前記タイマーを前記コンピュータに増加させるためのコードをさらに含む請求項４４記載のコンピュータプログラムプロダクト。
【請求項５３】
前記コンピュータ読取可能媒体は、システム優先度リストにしたがって、好ましいシステムスキャンを前記コンピュータに実行させるためのコードをさらに含む請求項４４記載のコンピュータプログラムプロダクト。
【発明の詳細な説明】
【米国特許法第１１９条の下での優先権主張】
【０００１】
本特許出願は、“マルチモードシステム選択の性能を向上させる方法および装置”と題し、２００９年８月２０日に出願され、本出願の譲受人に譲渡され、ここでの参照によりその全体が明確にここに組み込まれている仮出願第６１／２３５，６４７号に対して優先権を主張する。
【分野】
【０００２】
本出願は、一般的に、ワイヤレス通信に関連し、さらに詳細には、マルチモードのシステムスキャンのタイミングを最適化する技術に関連している。
【背景】
【０００３】
一般的に、ワイヤレス多元接続通信システムは、複数のワイヤレス端末に対する通信を同時にサポートすることができる。各端末は、フォワードリンクおよびリバースリンク上での送信を通して、１つ以上の基地局と通信する。フォワードリンク（すなわち、ダウンリンク）は、基地局から端末への通信リンクのことを指し、リバースリンク（すなわち、アップリンク）は、端末から基地局への通信リンクのことを指す。この通信リンクは、単一入力単一出力、複数入力単一出力、または複数入力複数出力（ＭＩＭＯ）のシステムを通して確立してもよい。
【０００４】
多くのワイヤレス技術の世界的な配備と、移動体マルチモードデバイスまたはエンティティ中のそれらの技術に対するサポートとにより、グローバルローミングの目標に向けたシームレスなシステム選択に対する増加する必要性が存在する。さらに、任意の特定の地理的領域は、第３世代パートナーズシッププロジェクト（３ＧＰＰ）および第３世代パートナーズシッププロジェクト２（３ＧＰＰ２）の技術のような、混合した技術およびネットワークをサポートしているかもしれない。
【０００５】
混合技術をサポートする移動体マルチモードデバイスは、技術内で最適なネットワークを選択する際に使用する複数のデータベースを備えていてもよい。例として、あるコード分割多元接続２０００（ｃｄｍａ２０００またはＣ２Ｋ）ネットワークのような、３ＧＰＰ２技術に対して、ＵＥにおいて記憶されている好ましいローミングリスト（ＰＲＬ）データベースは、そのデバイスに対する地理的領域中で、３ＧＰＰ２技術からのいずれのシステム／ネットワークが好ましいかについての情報を提供する。無線（ＯＴＡ）管理プロトコルを通して、予め定められているか、または、プログラミングされているか否かに関わらず、ＰＲＬは、好ましいネットワークと、ユーザに対してそれらが選択されるべき順序とについての情報を含む。３ＧＰＰ２技術に対するＰＲＬは、各地理的領域に関係するテーブルを有するように構築されていてもよい。そして、各地理的領域に関係するテーブルは、システム識別子／ネットワーク識別子（ＳＩＤ／ＮＩＤ）対により鍵がかけられていて、獲得インデックスに関係している、システム記述のリストを含む。関連するシステムにおけるチャネル獲得の目的のために、ＲＦチャネルのインデックス付きのリストを含む獲得テーブルに対するポインタとして、獲得インデックスを使用してもよい。
【０００６】
その一方で、グローバルシステムフォーモバイル（ＧＳＭ（登録商標））およびユニバーサルモバイルテレコミュニケーションシステム（ＵＭＴＳ）地上無線アクセス（ＵＴＲＡ）のような、３ＧＰＰ技術に対して、公衆地上移動体ネットワーク（ＰＬＭＮ）という名称の、好ましいネットワークの異なって構築されたデータベースリストが、移動体デバイスの、加入者認証モジュール（ＳＩＭ）またはユニバーサル加入者認証モジュール（ＵＳＩＭ）中に記憶されている。データベース中のＰＬＭＮは、移動体ネットワークコード（ＭＮＣ）を含む。移動体ネットワークコード（ＭＮＣ）は、移動体国コード（ＭＣＣ）と組み合わせて（“ＭＣＣ／ＭＮＣタプル”としても知られる）使用して、ＧＳＭおよびＵＭＴＳの公衆地上移動体ネットワークのような、３ＧＰＰ技術を使用するサービス運営者を一意的に識別する。
【０００７】
開始点は、ＰＬＭＮリストに基づくシステム選択への３ＧＰＰアプローチとすることができる。ＰＬＭＮリストは、無線アクセス技術（ＲＡＴ）としても知られる、３ＧＰＰ２アクセス技術識別子（ＡＴＩ）を含んでいてもよい。ＰＬＭＮは、ＭＣＣとＭＮＣとの連結を識別してもよく、ＭＣＣとＭＮＣとの連結であってもよい。地理的ロケーションを通してローミングするときに、特に、異なる利用可能なアクセス技術（例えば、３ＧＰＰおよび３ＧＰＰ２）を持つエリアにわたってローミングするときに、マルチモードデバイスが最良の利用可能なシステムをシームレスに選択することが望ましい。したがって、アクセス技術間でのシームレスで効率的なシステム選択のために、既存のアクセス技術間でのマルチモードローミングとともに、可能性がある将来のアクセス技術間でのマルチモードローミングに対して、アクセス技術選択を管理する必要性が存在する。特に、獲得時間を最小化することと、このようなスキャンを実行する際に費やす電力を最小化することとの間のバランスを達成するために、好ましいシステムスキャンのタイミングをインテリジェントに管理する必要性が存在する。
【概要】
【０００８】
１つ以上の実施形態とその対応する開示とにしたがって、例えば、時にはユーザ機器（ＵＥ）と呼ばれるアクセス端末（ＡＴ）、ワイヤレス通信デバイス、端末、またはこれらの類するもののような、移動体エンティティ（ＭＥ）により実行される、マルチモードシステム選択方法に関連する、さまざまな態様を記述する。方法は、ＭＥの、ロケーションと動きとの少なくとも１つを決定することを含む。方法は、ＭＥの、ロケーションと動きとの少なくとも１つに基づいて、好ましいシステムスキャン間のタイマーを調節することを含む。
【０００９】
関連する態様では、決定することは、動きセンサ（例えば、加速度計および／または電圧制御発振器（ＶＣＯ）累算器）を利用して、ＭＥの動きを検出することを含む。決定することは、グローバルポジショニングシステム（ＧＰＳ）から信号を受信することを含む。代替実施形態では、または、加えて、決定することは、（ａ）サービシングセルと隣接するセルとのうちの１つに対するセル識別子を取得することと、（ｂ）セル識別子を使用して、担当セルと隣接するセルとのうちの１つに関係する基地局のポジションデータにアクセスすることと、（ｃ）基地局のポジションデータに基づいて、ＭＥの、ロケーションと動きとのうちの少なくとも１つを近似することとを含む。
【００１０】
さらなる関連する態様では、調節することは、動きが最小の動きしきい値を満たすことを検出することに応答して、タイマーを減少させることを含む。調節することは、動きが最小の動きしきい値を満たさないことを検出することに応答して、タイマーを増加させることを含む。調節することは、（ａ）以前のＭＥロケーションと比較したＭＥロケーションにおける変化がロケーション変化しきい値を満たすことと、（ｂ）ＭＥと好ましいシステムとの間の距離における減少と、のうちの少なくとも１つを検出することに応答して、タイマーを減少させることを含む。代替実施形態では、または、加えて、調節することは、以前のＭＥロケーションと比較したＭＥロケーションにおける変化が、ロケーション変化しきい値を満たさないことを検出することに応答して、タイマーを増加させることを含む。またさらなる関連する態様では、電子デバイスは、上述した方法論を実行するように構成することができる。
【００１１】
先の目的および関連する目的の達成のために、１つ以上の態様は、後に完全に記述する特徴、および、特許請求の範囲中で特に指摘する特徴を含んでいる。以下の記述および添付した図面により、１つ以上の実施形態のうちのある例示的な態様を詳細に述べる。これらの態様は、しかしながら、さまざまな実施形態の原理を用いることができるさまざまな方法のうちのいくつかだけを示しており、記述した実施形態は、このようなすべての態様およびそれらの均等物を含むことを意図している。
【図面の簡単な説明】
【００１２】
【図１】図１は、１つの態様にしたがった、多元接続ワイヤレス通信システムを図示している。
【図２】図２は、通信システムのブロックダイヤグラムを図示している。
【図３】図３は、ネットワーク環境内でのアクセスポイント基地局の配備を可能にする例示的な通信システムを図示している。
【図４】図４は、通信システムの例示的なロケーショングループを図示している。
【図５】図５は、国にわたる範囲を持つロケーショングループを示している。
【図６】図６は、移動体エンティティ中の準備された例示的なテーブルを図示している。
【図７】図７は、例示的な拡張システム記録を示している。
【図８】図８は、より細かいロケーショングループを規定する、移動体エンティティ中の準備された例示的なテーブルを図示している。
【図９】図９は、マルチモードシステムスキャンのタイミングを最適化するための例示的な方法論を図示している。
【図１０】図１０は、図９の方法論のさらなる態様を図示している。
【図１１】図１１は、図９の方法論のさらなる態様を図示している。
【図１２】図１２は、図９の方法論のさらなる態様を図示している。
【図１３】図１３は、図９の方法論のさらなる態様を図示している。
【図１４】図１４は、マルチモードシステムスキャンのタイミングを最適化するための例示的な装置を示している。
【図１５】図１５は、図１４の装置のさらなる態様を図示している。
【図１６】図１６は、図１４の装置のさらなる態様を図示している。
【説明】
【００１３】
図面を参照して、さまざまな態様をこれから記述する。同一の参照番号は、全体を通して同一のエレメントを指すために使用する。以下の記述では、説明の目的のために、１つ以上の態様の完全な理解を提供するために、多数の特有な詳細を述べている。しかしながら、これらの特有な詳細なしで、このような態様を実施できることは明白である。他の事例では、１つ以上の態様の記述を促進するために、よく知られている構造およびデバイスをブロックダイヤグラムの形態で示している。
【００１４】
コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡネットワーク等のような、さまざまなワイヤレス通信ネットワークに対して、ここで記述する技術を使用してもよい。“ネットワーク”および“システム”という用語は、交換可能に使用することが多い。ＣＤＭＡネットワークは、ユニバーサル地上無線アクセス（ＵＴＲＡ）、ｃｄｍａ２０００（Ｃ２Ｋ）等のような無線技術を実現する。ＵＴＲＡは、ワイドバンド−ＣＤＭＡ（Ｗ−ＣＤＭＡ）と低チップレート（ＬＣＲ）とを含む。Ｃ２Ｋは、（１ｘおよび１ｘＲＴＴとしても知られている）ＩＳ−２０００、ＩＳ−９５、およびＩＳ−８５６の標準規格をカバーしている。ＴＤＭＡネットワークは、グローバルシステムフォーモバイルコミュニケーション（ＧＳＭ）のような無線技術を実現する。ＯＦＤＭＡネットワークは、進化ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ等のような無線技術を実現する。ＵＴＲＡ、Ｅ−ＵＴＲＡ、およびＧＳＭは、ユニバーサルモバイルテレコミュニケーションシステム（ＵＭＴＳ）の一部である。ロングタームエボリューション（ＬＴＥ）は、Ｅ−ＵＴＲＡを使用するＵＭＴＳの今後のリリースである。ＵＴＲＡ、Ｅ−ＵＴＲＡ、ＧＳＭ、ＵＭＴＳ、およびＬＴＥは、“第３世代パートナーズシッププロジェクト”（３ＧＰＰ）という名称の機関からの文書中に記載されている。Ｃ２Ｋは、“第３世代パートナーズシッププロジェクト２”（３ＧＰＰ２）という名称の機関からの文書中に記載されている。これらのさまざまな無線技術および標準規格は、技術的に知られている。
【００１５】
単一の搬送波変調と周波数ドメイン等化とを利用する単一搬送波周波数分割多元接続（ＳＣ−ＦＤＭＡ）は、技術である。ＳＣ−ＦＤＭＡは、ＯＦＤＭＡのものと、類似した性能と、本質的に同一の全体的な複雑性とを有する。ＳＣ−ＦＤＭＡ信号は、その固有の単一搬送波構造のために、より低いピーク対平均電力比（ＰＡＰＲ）を有する。ＳＣ−ＦＤＭＡは、特に、送信電力効率に関して、より低いＰＡＰＲが移動体端末に大きな利益を与えるアップリンク通信において、大きな注目を集めている。ＳＣ−ＦＤＭＡは、３ＧＰＰロングタームエボリューション（ＬＴＥ）または進化ＵＴＲＡにおける、アップリンク多元接続に対して使用される。
【００１６】
図１を参照すると、１つの実施形態にしたがった多元接続ワイヤレス通信システムが図示されている。アクセスポイント１００（例えば、基地局、進化ノードＢ（ｅＮＢ）、またはこれらの類するもの）は、複数のアンテナグループを含む。複数のアンテナグループの１つは、１０４および１０６を含み、別のものは、１０８および１１０を含み、さらなるものは、１１２および１１４を含む。図１では、各アンテナグループに対して、２本のアンテナが示されているが、各アンテナグループに対して、より多いアンテナ、または、より少ないアンテナを利用してもよい。例えば、アクセス端末（ＡＴ）のような、移動体エンティティ（ＭＥ）１１６は、アンテナ１１２および１１４と通信中であり、アンテナ１１２および１１４は、フォワードリンク１２０を通して、ＭＥ１１６に情報を送信し、リバースリンク１１８を通して、ＭＥ１１６から情報を受信する。ＭＥ１２２は、アンテナ１０６および１０８と通信中であり、アンテナ１０６および１０８は、フォワードリンク１２６を通して、ＭＥ１２２に情報を送信し、リバースリンク１２４を通して、ＭＥ１２２から情報を受信する。ＦＤＤシステムでは、通信リンク１１８、１２０、１２４、および１２６は、通信に対して異なる周波数を使用してもよい。例えば、フォワードリンク１２０は、リバースリンク１１８により使用されるものとは異なる周波数を使用してもよい。
【００１７】
アンテナの各グループ、および／または、それらが通信するように設計されているエリアは、アクセスポイントのセクタとして呼ばれることが多い。実施形態では、アンテナグループはそれぞれ、アクセスポイント１００によりカバーされるエリアの、セクタ中のＭＥと通信するように設計されている。
【００１８】
フォワードリンク１２０および１２６を通した通信において、アクセスポイント１００の送信アンテナは、異なるＭＥ１１６および１２４に対するフォワードリンクの信号対ノイズ比を向上させるために、ビーム形成を利用する。また、ビーム形成を使用して、そのカバレッジを通してランダムに分散されているＭＥに送信するアクセスポイントは、単一のアンテナを通してそのすべてのＭＥに送信するアクセスポイントよりも少ない干渉を、隣接するセル中のＭＥに起こす。
【００１９】
アクセスポイントは、端末と通信するために使用する固定局であってもよく、また、アクセスポイント、ノードＢ、ｅＮＢ、または他のいくつかの専門用語として呼ばれてもよい。
【００２０】
図２は、ＭＩＭＯシステム２００における、（アクセスポイントとしても知られている）送信機システム２１０と、（ＭＥとしても知られている）受信機システム２５０との実施形態のブロックダイヤグラムである。送信機システム２１０において、多数のデータストリームに対するトラフィックデータが、データソース２１２から送信（ＴＸ）データプロセッサ２１４に提供される。
【００２１】
ある実施形態では、各データストリームは、それぞれの送信アンテナを通して送信される。ＴＸデータプロセッサ２１４は、そのデータストリームのために選択された特定のコーディングスキームに基づいて、各データストリームに対して、トラフィックデータをフォーマットし、コード化し、インターリーブして、コード化したデータを提供する。
【００２２】
各データストリームに対してコード化されたデータは、ＯＦＤＭ技術を使用して、パイロットデータと多重化されてもよい。パイロットデータは、典型的に、既知の方法で処理される既知のデータパターンであり、受信機システムにおいて、チャネル応答を推定するために、使用されてもよい。その後、そのデータストリームに対して選択された、特定の変調スキーム（例えば、２位相シフトキーイング（ＢＰＳＫ））、直角位相シフトキーイング（ＱＳＰＫ）、Ｍ位相シフトキーイング（Ｍ−ＰＳＫ）、またはマルチレベル直角位相振幅変調（Ｍ−ＱＡＭ）に基づいて、各データストリームに対して、多重化されたパイロットおよびコード化されたデータは、変調（すなわち、シンボルマッピング）され、変調信号を提供する。各データストリームに対する、データレート、コーディング、および変調は、プロセッサ２３０により実行される命令により、決定されてもよく、プロセッサ２３０は、メモリ２３２と動作可能に通信していてもよい。
【００２３】
データストリームに対する変調シンボルは、その後、ＴＸ ＭＩＭＯプロセッサ２２０に提供され、ＴＸ ＭＩＭＯプロセッサ２２０は、（例えば、ＯＦＤＭに対して）変調シンボルをさらに処理してもよい。ＴＸ ＭＩＭＯプロセッサ２２０は、その後、ＮT個の変調シンボルストリームを、ＮT個の送信機（ＴＭＴＲ）２２２ａないし２２２ｔに提供する。ある実施形態では、ＴＸ ＭＩＭＯプロセッサ２２０は、データストリームのシンボルと、シンボルがそこから送信されるアンテナとにビーム形成重みを適用する。
【００２４】
各送信機２２２は、それぞれのシンボルストリームを受け取って処理し、１つ以上のアナログ信号を提供し、さらに、アナログ信号を調整（例えば、増幅、フィルタリング、アップコンバート）して、ＭＩＭＯチャネルを通した送信に対して適切な変調した信号を提供する。送信機２２２ａないし２２２ｔからのＮT個の変調信号は、その後、それぞれ、ＮT本のアンテナ２２４ａないし２２４ｔから送信される。
【００２５】
受信機システム２５０において、送信された変調信号が、ＮR本のアンテナ２５２ａないし２５２ｒにより受信され、各アンテナ２５２からの受信信号は、それぞれの受信機（ＲＣＶＲ）２５４ａないし２５４ｒに提供される。各受信機２５４は、それぞれの受信信号を調整（例えば、フィルタリング、増幅、ダウンコンバータ）し、調整信号をデジタル化して、サンプルを提供し、さらに、サンプルを処理して、対応する“受信された”シンボルストリームを提供する。
【００２６】
ＲＸデータプロセッサ２６０は、その後、特定の受信機処理技術に基づいて、受信機２５４からＮR個の受信シンボルストリームを受け取って処理し、ＮT個の“検出された”シンボルストリームを提供する。ＲＸデータプロセッサ２６０は、その後、各検出シンボルストリームを復調し、デインターリーブし、デコードして、データストリームに対してトラフィックデータを復元させる。ＲＸデータプロセッサ２６０による処理は、送信機システム２１０において、ＴＸ ＭＩＭＯプロセッサ２２０とＴＸデータプロセッサ２１４とにより実行されるものに対して相補的である。
【００２７】
プロセッサ２７０は、いずれのプリコーディング行列を使用するかを周期的に決定する。これは、下記でさらに議論する。プロセッサ２７０は、行列インデックス部分とランク値部分とを含むリバースリンクメッセージを構築し、メモリ２７２と動作可能に通信していてもよい。
【００２８】
リバースリンクメッセージは、通信リンクおよび／または受信データストリームに関するさまざまなタイプの情報を含んでいてもよい。リバースリンクメッセージは、その後、ＴＸデータプロセッサ２３８により処理される。ＴＸデータプロセッサ２３８はまた、データソース２３６から、多数のデータストリームに対するトラフィックデータを受け取り、トラフィックデータは、変調器２８０により変調され、送信機２５４ａないし２５４ｒにより調整され、送信機システム２１０に送り返される。
【００２９】
送信機システム２１０において、受信機システム２５０からの変調信号は、アンテナ２２４により受信され、受信機２２２により調整され、復調器２４０により復調され、ＲＸデータプロセッサ２４２により処理されて、受信機システム２５０により送信されたリバースリンクメッセージを導出する。プロセッサ２３０は、その後、ビーム形成重みを決定するために、いずれのプリコーディング行列を使用するかを決定し、その後、導出されたメッセージを処理する。
【００３０】
図３は、ネットワーク環境内でのアクセスポイント基地局の配備を可能にする例示的なワイヤレス通信システムを図示している。図３中に示されているように、システム３００は、複数のアクセスポイント基地局、あるいは、代替実施形態では、例えば、ＨＮＢ３１０のような、フェムトセル、ホームノードＢユニット（ＨＮＢ）、またはホームｅＮＢユニット（ＨｅＮＢ）を含み、それぞれは、例えば、１つ以上のユーザの住宅３３０中のような、対応する小さいスケールのネットワーク環境中でインストールされており、関係するＭＥ３２０とともに、エイリアンＭＥ３２０を担当するように構成されている。各ＨＮＢ３１０は、（示していない）ＤＳＬルータ、または、代替的には、（示していない）ケーブルモデムを介して、インターネット３４０および移動体運営者コアネットワーク３５０にさらに結合されている。
【００３１】
ここに記述する実施形態の１つ以上の態様にしたがうと、マルチモードシステム選択の性能を向上させる技術が提供される。今後のマルチモード移動体エンティティは、ＬＴＥ、１ｘ、データ最適化（ＤＯ）、ＵＭＴＳ、ＧＳＭ（登録商標）とともに、他の無線アクセス技術（ＲＡＴ）を通して、通信することが可能になる。例えば、現在のロケーションにおいて利用可能なさまざまなシステムの中から最良のシステムを選択するために、ＭＥにより使用されるフレームワークは、マルチモードシステム選択（ＭＭＳＳ）フレームワークまたはこれに類するものとして呼ばれることがある。以下の記述において、簡潔さおよび明瞭さの目的で、国際電気通信連合（ＩＴＵ）により公布された３ＧＰＰ２標準規格に関係する専門用語を使用する。しかしながら、ここに記述する技術は、上述した技術および標準規格のような、他の技術に適用可能であることを強調する。
【００３２】
３ＧＰＰシステムおよび３ＧＰＰ２システム間の相対的な優先順位付けは、ＭＭＳＳシステム優先度リスト（ＭＳＰＬ）テーブルまたはこれに類するものを使用して、特定されてもよいことに留意すべきである。ＭＭＳＳアルゴリズムにおける重要なステップの１つは、ＭＥの現在のロケーションにおいて使用するＭＳＰＬを決定することである。これを達成する標準的な方法は、マルチモードロケーションアソシエーション優先度リスト（ＭＬＰＬ）記録を持つシステムが識別されるまで、システムに対してスキャンすることである。いったんこれが終了すると、使用するＭＳＰＬは、このＭＬＰＬ記録とリンクしているＭＳＰＬである。
【００３３】
図４〜８は、同一の（ロケーショングループとして呼ばれる）地理的エリアに属しているシステムをグループ化する技術を図示している。各ロケーショングループは、ロケーショングループに属しているシステムをランク順序付けするためのルールを特定する単一のＭＳＰＬに関係していてもよい。したがって、ＭＥがシステムに対してスキャンするとき、いったんＭＥがロケーショングループに属しているシステムを発見すると、使用するＭＳＰＬは既知である。さらに、この関係するＭＳＰＬ中のルールに基づいて、ロケーショングループ中のすべての他のシステムを決定し、ランク順序付けできる。
【００３４】
図４を参照すると、ワイヤレスネットワーク環境４００の３つのロケーショングループ４０２、４０４、および４０６が示されている。図面中の国−２は、２つの移動体国コード（ＭＣＣ）（すなわち、ＭＣＣ２およびＭＣＣ３）を有する。ロケーショングループのサイズは変化することがあることに留意すべきである。単一の大きな国は、複数のロケーショングループに分けることができ、または、ロケーショングループは、国全体もしくは複数の国にまたがることができる。適切なプロビジョニングを決定するために必要な活動に対して、結果的として生じる性能利益を比較考量することにより、サイズを決定してもよい。
【００３５】
ＭＳＰＬを使用する利益は、これにより電力効率の良いスキャンが可能になることである。基本的なアイディアは、ＭＥが、発見したシステムと同一のロケーション中に存在するシステムのグループを決定できる場合に、それにより、このリスト中のより好ましいシステムのみを捜すようにスキャンを最適化できるというものである。例えば、ＬＴＥ配備は初めにホットスポット中にあることから、適切に規定されたロケーショングループを使用して、ＬＴＥが存在しないエリア中でのＬＴＥに対するスキャンを避けることができる。よって、使用するＭＳＰＬを決定するステップは、ロケーショングループを決定することと同等である。ロケーショングループを決定するために使用する正確な方法は、準備されたデータベースに基づくだろう。準備されたデータベースの複雑性は、ロケーショングループの粒度に依存して適合させることができる。
【００３６】
図５を参照すると、ワイヤレスネットワーク環境５００の実施形態が示されている。ここで、ロケーショングループ５０２および５０４は、例えば、ＭＣＣベースのＭＬＰＬ記録が準備されるときのように、国にわたる範囲を有する。このケースでは、各ロケーショングループは、図５中に示されているように、国全体のサイズになる。ＭＥにおいて準備することができる例示的なテーブルが、図６中に示されている。例示的なテーブルは、準備されたＰＬＭＮデータベース６０２、準備された好ましいローミングリスト（ＰＲＬ）６０４、ＭＳＰＬ−１ ６０６、あるいは、準備されたＭＬＰＬ記録６０８または類似したシステム優先度リスト記録を含んでいてもよい。
【００３７】
関連する態様では、準備されたＰＲＬが拡張ＰＲＬフォーマットを使用してもよい。拡張ＰＲＬフォーマットでは、各記録が、ＳＩＤ／ＮＩＤまたはサブネットＩＤに加えて、ＭＣＣ／ＭＮＣを有する。ＧＥＯにおける各記録中のＭＣＣフィールドは、ＧＥＯがある国に属しているＭＣＣの１つに設定されている。ＭＮＣフィールドは、（ＧＥＯが国の境界線にまたがらないと仮定すると）ワイルドカードとすることができる。拡張ＰＲＬの例示的なフォーマット７００が図７中に示されており、ＳＩＤ／ＮＩＤ対ＭＣＣマッピングを特定するために、拡張システム記録を使用する。
【００３８】
再度図４を参照すると、国−２が２つのＭＣＣを有することから、ＭＬＰＬ記録は、双方のＭＣＣにより準備されている。これにより、ＭＥが、ＭＣＣ２およびＭＣＣ３が一緒にグループ化されていることを識別することが可能になる。ロケーショングループが国にわたる範囲を有するので、現在のロケーショングループを識別することは、現在のＭＣＣグループを識別することと同等である。３ＧＰＰシステムが発見された場合に、そのＰＬＭＮに関係するＭＣＣは、ＭＥがロケーショングループを識別するのを助ける。代わりに３ＧＰＰ２システムが発見され、それがＰＲＬ中にリスティングされている場合に、システム記録により、ＭＥがその現在のロケーショングループを識別することが可能になる。
【００３９】
例えば、ＭＥが図６中のデータベースにより準備されていることを想定する。ＭＥが３ＧＰＰシステムＭＣＣ１／Ｎ１を発見した場合に、ＭＥは、ＭＥが図５中のロケーショングループ５０２中に存在することを決定する。さらに、このＭＬＰＬ記録は、ＭＳＰＬ−１とリンクしていることから、ＭＥは、使用するＭＳＰＬがＭＳＰＬ−１であることを決定する。準備されたＭＬＰＬ記録と、ロケーショングループに属しているＧＥＯとを使用して、ＭＥは、ロケーショングループ中の他のシステムが、Ｓ１／Ｎ１、Ｓ１／Ｎ２、Ｓ１／Ｎ３、Ｓ２／Ｎ１、およびＳ２／Ｎ２であることを決定する。ＭＳＰＬ−１中のルールに基づいて、ＭＥは、ＭＥがロケーショングループ中で最も好ましいシステムを既に発見していることを決定し、他のシステムを発見するためのスキャニングを停止する。
【００４０】
代わりに、ＭＥが最初にＣ２ＫシステムＳ１／Ｎ１を発見することを想定する。準備されたＰＲＬ記録を使用して、ＭＥは、ＭＥがロケーショングループ５０２中に存在することを決定する。ＭＥはまた、同一のロケーショングループ中の他のシステムが、Ｓ２／Ｎ１およびＭＣＣ１／Ｎ１であることを決定する。ロケーショングループに関係するＭＳＰＬのルールに基づいて、ＭＥは、ＭＥがロケーショングループ中で最も好ましい利用可能なシステムを発見していないことを決定して、ＬＴＥ帯域中でＭＣＣ１／Ｎ１に対するスキャンを実行する。
【００４１】
最後に、ＭＥが最初にＣ２ＫシステムＳ３／Ｎ１を発見することを想定する。準備されたＰＲＬ記録を使用して、ＭＥは、ＭＥがロケーショングループ５０４中に存在することを決定する。ＭＥはまた、同一のロケーショングループ中の他のシステムが、Ｓ４／Ｎ１およびＭＣＣ２／Ｎ２であることを決定する。ロケーショングループに関係するＭＳＰＬのルールに基づいて、ＭＥは、ＭＥがロケーショングループ中で最も好ましい利用可能なシステムを発見していないことを決定して、ＬＴＥ帯域中でＭＣＣ２／Ｎ２に対するスキャンを実行する。
【００４２】
関連する態様では、ＳＩＤベースのＭＬＰＬ記録が準備されているときのように、ロケーショングループが、地理的によりきめの細かくなっている実施形態が提供されている。例えば、図４中に示されているように、国−１は、２つのロケーショングループ４０２および４０４に分けることができ、１つはＬＴＥが存在せず、１つにはＬＴＥが存在する。国−１におけるとき、プロビジョニングにより、ＭＥは、ＭＥがロケーショングループ４０２中に存在するか、または、ロケーショングループ４０４中に存在するかの間で見分けることが可能になる。ＭＥが、ＭＥがロケーショングループ４０２中に存在すると決定する場合に、ＭＥは、同一のロケーショングループ中にＬＴＥシステムが存在しないことを決定でき、それゆえに、ＭＥは、ＬＴＥシステムに対するスキャニングを避けることができる。
【００４３】
ＭＥ中に準備することができる例示的なテーブルが、図８中に示されている。例示的なテーブルは、準備されたＰＬＭＮデータベース８０２と、準備されたＰＲＬ８０４と、ＭＳＰＬ−１ ８０６と、準備されたＭＬＰＬ記録８０８または類似したシステム優先度リスト記録とを含んでいてもよい。図８のケースにおけるプロビジョニングと図６のケースにおけるプロビジョニングとの間の主な違いは、（ａ）ＭＬＰＬ記録が、ロケーショングループに属している各ＧＥＯからの少なくとも１つのＳＩＤ／ＮＩＤを含むこと；（ｂ）Ｃ２Ｋシステムと同一のロケーション中に好ましい３ＧＰＰシステムが存在しない場合に、ＭＬＰＬ記録が、ＳＩＤ／ＮＩＤフィールドだけを有すること；および（Ｃ）拡張ＰＲＬを必要としないことである。
【００４４】
ＭＥが３ＧＰＰシステムＭＣＣ１／Ｎ１を発見して、ＭＥがロケーショングループ４０４中に存在することを決定することを想定する。加えて、このＭＬＰＬ記録は、ＭＳＰＬ−１にリンクしていることから、ＭＥは、使用するＭＳＰＬがＭＳＰＬ−１であることを決定する。準備されたＭＬＰＬ記録と、ロケーショングループに属しているＧＥＯとを使用して、ＭＥは、ロケーショングループ中の他のシステムが、Ｓ１／Ｎ２、Ｓ１／Ｎ３、およびＳ２／Ｎ２であることを決定する。ＭＳＰＬ−１中のルールに基づいて、ＭＥは、ＭＥがロケーショングループ中で最も好ましいシステムを既に発見していることを決定して、他のシステムに対するスキャニングを停止する。
【００４５】
その代わりに、ＭＥが最初にＣ２ＫシステムＳ１／Ｎ１を発見することを想定する。準備されたＭＬＰＬ記録を使用して、ＭＥは、ＭＥがロケーショングループ４０２中に存在することを決定する。ＭＥはまた、同一のロケーションシステム中の他のシステムはＳ２／Ｎ１であることと、関係するＭＳＰＬはＭＳＰＬ−１であることとを決定する。ロケーショングループに関係するＭＳＰＬのルールに基づいて、ＭＥは、ＭＥがその現在のロケーショングループ中で最も好ましいシステムを既に発見していることを決定して、他のシステムに対してスキャンしない。
【００４６】
最後に、ＭＥが最初にＣ２ＫシステムＳ３／Ｎ１を発見することを想定する。準備されたＭＬＰＬ記録およびＰＲＬを使用して、ＭＥは、ＭＥがロケーショングループ４０６中に存在することを決定する。Ｓ３／Ｎ１はＭＬＰＬ記録を有していないが、Ｓ３／Ｎ１は、一致するＭＬＰＬ記録（Ｓ４／＊）を有するＳ４／Ｎ１と同じＧＥＯ中に存在することから、ＭＥは、ロケーショングループを決定することができることに留意すべきである。ＭＥはまた、同一のロケーショングループ中の他のシステムが、Ｓ４／Ｎ１およびＭＣＣ２／Ｎ２であることを決定する。ロケーショングループに関係するＭＳＰＬのルールに基づいて、ＭＥは、ＭＥがロケーショングループ中で最も好ましい利用可能なシステムを発見していないことを決定して、ＬＴＥ帯域中でＭＣＣ２／Ｎ２に対するスキャンを実行する。
【００４７】
本開示の特定の主題の１つ以上の態様にしたがうと、電源投入のときに、ＭＥは、ＭＭＳＳプロビジョニングにしたがった最も好ましいシステムのカバレッジ内に存在しないかもしれない。このようなシナリオでは、ＭＥは、ＭＥが見つけることができる最良のシステム上でキャンピングしてもよい。最も好ましいシステムが利用可能になるときに、最も好ましいシステムへ移動するために、ＭＥは、現在キャンピングするシステム上でアイドル状態であるときに、ある時間においてスキャンを実行する。ＭＭＳＳフレームワークのこの態様は、より良いシステム再選択（ＢＳＲ）スキャンと呼ばれることがある。理想的には、好ましいシステムが利用可能になるときに、ＢＳＲアルゴリズムが、好ましいシステムに対してスキャンする。そうでなければ、好ましいシステムが獲得のために利用可能でないときに、ＢＳＲスキャンのために費やした電力が無駄なものになる。マルチモードシステム選択の目的は、ＢＳＲスキャンを形成する際に費やす電力を最小にして、好ましいシステムの最小獲得時間を達成することである（つまり、ＭＥによる非常に効率的な電力の使用）。別の言い方をすると、ＢＳＲアルゴリズムは、獲得時間を最小化することと、ＢＳＲの間に費やす電力を最小化することとの間のバランスに突き当たる。
【００４８】
３ＧＰＰ２ ＭＭＳＳフレームワークの下では、ＭＥがより好ましいシステムを捜すべき周期的な間隔を決定するために、ＭＳＰＬは、high_pri_search_timerフィールド、または、これに類するものを含んでいてもよいことに留意すべきである。このタイマーは、各ＭＳＰＬエントリに対して特定されてもよく、潜在的に、ＭＥがキャンピングしているシステムに基づいて異なる可能性がある。各システムに対して異なるタイマーを構成することは、運営者に対するプロビジョニングの複雑性とともに、メモリ要件を増加させるかもしれない。それゆえ、１つの実施形態では、マルチモードシステム選択技術は、ＢＳＲスキャンを実行するときに、デフォルトタイマーまたは予め規定されたタイマーを使用して、これにより、プロビジョニングのサイズおよび複雑性を減少させることを伴ってもよい。関連する態様では、運営者が、あるシステム上でキャンピングしている間にタイマー値を準備する必要がある場合、運営者は、これらのＭＳＰＬエントリのみに対してタイマーフィールドを特定することにより、デフォルトタイマーを無効にすることができる。
【００４９】
別の実施形態では、より好ましいシステムに対してスキャンするために、固定の周期的なタイマーの代わりに、伸縮タイマーを使用してもよい。ＢＳＲスキャン間の柔軟な時間の使用により、より好ましいシステムのプレビューをするには十分なくらいＭＥが最後のスキャンから移動していない可能性が高いときに、ＭＥがスキャンを避けることが可能になる。例えば、ＭＥが移動したか否かの決定は、担当システム中のセルが変化したか否かに、グローバルポジショニングシステム（ＧＰＳ）情報に、ならびに／あるいは、例えば、加速度計、電圧制御発振器（ＶＣＯ）加速度計、またはこれらに類するもののような、動きセンサからの情報に基づいてもよい。
【００５０】
関連する態様では、条件が、ＭＥがより好ましいシステムにアプローチしていると示すときに、ＢＳＲスキャンの頻度を増加させてもよい。これは、より好ましいシステムが最後に獲得されたときのシグネチャを思い出すこと、および／または、担当システムを通して送られる、隣接リストメッセージもしくはこれに類するものを分析することを伴うかもしれない。本質的に、（所定のＭＥの、現在のロケーションまたは動きに少なくとも部分的に基づく）新たなトリガになるイベントまたは条件を規定して、ＢＳＲスキャン間のタイマーを調節（すなわち、増加また減少）してもよい。
【００５１】
ＭＭＳＳフレームワークは、システム間の相対的な優先度を特定する複数のデータベースを含んでもよいことに留意すべきである。ＭＭＳＳフレームワークを通して２つのシステム間を移動することに加えて、ＲＡＮレベルにおけるセル再選択手順もまた、ＭＥに２つのシステム間を移動させることがある。結果として、最終的には、ＭＥが２つのシステム間でピンポンするシステム選択ループ中にＭＥが存在することになる可能性がある。よって、また別の実施形態では、マルチモードシステム選択技術は、このようなループを検出して中断させることを伴ってもよい。例えば、このような技術は、規定された時間期間内（例えば、前Ｍ分間）にＭＥが訪れたＮ個の以前のシステムをキャッシュすること、および／または、好ましいシステムスキャンの間に、以前のシステムのうちの少なくとも１つに関係する、所定の周波数と所定のセルとのうちの少なくとも１つを避けることを含んでもよい。
【００５２】
電力投入獲得時間を結果的に減少させる要因の１つは、ＭＥの電力投入における正しいスキャン順序リストを決定することであることにさらに留意すべきである。スキャン順序リストは、初めの電力投入においてスキャンすることになる周波数を特定してもよい。したがって、また別の実施形態では、マルチモードシステム選択技術は、電力投入の間に、ＭＥにより初めにスキャンされる周波数のセットを順序付けすることまたは優先度付けすることを伴ってもよい。例えば、このような技術は、最も最近使用したシステムのロケーションに基づいてスキャン周波数リストが順序付けされている国ベースのグルーピングをインプラントすること、および／または、移動体が最も頻繁に動作すると予期される領域に対して最も最適なスキャン周波数リスティングを使用することを伴ってもよい。
【００５３】
ＭＥがＣ２Ｋ ＲＡＴ上で動作しているときに、ＭＥは１ｘ／ＤＯハイブリッドモードに入ることがあることにさらに留意すべきである。既存のＭＭＳＳフレームワークは、ＭＥの１ｘ／ＤＯハイブリッドモードの振る舞いを満足に取り扱わない。それゆえ、運営者があるプロビジョニングガイドラインにしたがわない場合に、最終的には、ＭＥがシステム選択ルール中にスタックしてしまうことになる可能性がある。例えば、ＭＳＰＬは、ＤＯ−ＨＯＭＥ＞ＵＭＴＳ−ＨＯＭＥ＞１ｘ−ＨＯＭＥ＞他のＲＡＴとして、準備されている。３つのシステム（すなわち、ＤＯ−ＨＯＭＥ、ＵＭＴＳ−ＨＯＭＥ、および１ｘ−ＨＯＭＥ）が利用可能であるときに、ＭＥは、最終的には、初めにＤＯシステム上でキャンピングすることになるだろう。ＭＥは、Ｃ２Ｋ ＲＡＴ上にいる間に、ハイブリッドモードに入るように設計されていることから、ＭＥは、すべての利用可能な１ｘシステムを捜すだろう。１ｘ−ＨＯＭＥが利用可能であることから、ＭＥは、この１ｘシステムを獲得するだろう。
【００５４】
１ｘ−ＨＯＭＥおよびＤＯ−ＨＯＭＥが互いに関係していないときに、問題が起こるかもしれない。ここで、ＭＥは、実際に、獲得したＤＯネットワークから自身を切り離して、１ｘシステムに関係するＤＯネットワークを捜すだろう。ＭＥは、最終的には、１ｘ−ＨＯＭＥ上で、および、（利用可能な場合には）その関係するＤＯシステムのうちの１つの上で、キャンピングすることになるかもしれない。ＭＥは、ＵＭＴＳ−ＨＯＭＥとともに、ＤＯ−ＨＯＭＥに対してスキャンし、これは可能性のあるループに導くかもしれない。加えて、１ｘ−ＨＯＭＥおよびＤＯ−ＨＯＭＥが互いに関係している場合には、ＭＥは、ハイブリッドモードで、双方のシステム上でキャンピングしてもよい。しかしながら、典型的なＭＳＰＬのコンフィギュレーションのために、ＭＥがＵＭＴＳ−ＨＯＭＥに対するスキャンを実行する必要があるか否かを決定すべきである。１つのアプローチは、これがループに導くだろうことから、ＵＭＴＳ−ＨＯＭＥに対するスキャンを実行しないことである。
【００５５】
（例えば、すべてのサービスがｅＨＲＰＤに移動しているわけではないので）、ＭＥが１ｘ／ＤＯハイブリッドモードで動作することを運営者が望む場合に、１つのシステム選択技術は、ＲＡＴ特有なシステムタイプフィールド（例えば、ＳＹＳ＿ＴＹＰＥ）、または、ＭＳＰＬ中のこれに類するものの使用を避けるプロビジョニングルールを使用することを伴ってもよい。加えて、システム選択技術は、ＭＥが１ｘ／ＤＯハイブリッドモードで動作するときに、ＭＳＰＬ中の汎用３ＧＰＰ２記録を使用して、そうでなければ、結果として生じるシステム選択ループを避けることを伴ってもよい。
【００５６】
ここに示され、記述された例示的なシステムの観点から、開示した主題項目にしたがって実現できる方法論は、さまざまなフローチャートを参照すると、より正しく認識されるだろう。説明の簡略化の目的のために、方法論は、一連のアクト／ブロックとして示され記述されているが、いくつかのブロックは、ここに図示し、示され記述されているものとは異なる順序で、ならびに／あるいは、他のブロックと実質的に同時に、起こることがあるので、請求項に記載した主題項目は、ブロックの数または順序により限定されないことを、理解すべきであり、正しく認識すべきである。さらに、すべての図示したブロックが、ここに記述した方法論を実現する必要があるわけではない。ブロックに関係する機能性は、ソフトウェアにより、ハードウェアにより、これらの組み合わせにより、または、他の何らかの適切な手段（例えば、デバイス、システム、プロセス、コンポーネント等）により、実現してもよい。追加的に、この明細書全体を通して開示した方法論は、このような方法論をさまざまなデバイスに伝送および転送することを促進するために、製造品に記憶させることが可能であることをさらに正しく認識すべきである。方法論は、状態ダイヤグラム中のような、一連の相互に関係する状態またはイベントとして、方法論を代替的に表すことができることを当業者は理解し、正しく認識するだろう。
【００５７】
ここに記述した実施形態の１つ以上の態様にしたがって、ワイヤレス通信環境において、マルチモードシステムスキャンのタイミングを最適化するための方法が提供されている。図９を参照すると、ＭＥ（例えば、ＡＴ）のようなワイヤレス通信システム装置において実行することができる方法論９００が図示されている。９０２において、ＭＥの、ロケーションと動きとのうちの少なくとも１つを決定する。９０４において、ＭＥの、ロケーションと動きとのうちの少なくとも１つに基づいて、好ましいシステムスキャン間のタイマー（例えば、デフォルトタイマーまたは予め規定されたタイマー）を調節する。
【００５８】
図１０を参照すると、決定することは、９１０において、動きセンサ（例えば、加速度計および／または電圧制御発振器（ＶＣＯ）累算器）を利用して、ＭＥの動きを検出することを含んでもよい。代替実施形態では、または、加えて、決定することは、９２０において、ＧＰＳ信号を受信することを含んでもよい。代替実施形態では、または、加えて、決定することは、サービシングセルと隣接するセルとのうちの１つに対するセル識別子を取得すること（９３０）と、セル識別子を使用して、担当セルと隣接するセルとのうちの１つに関係する基地局のポジションデータにアクセスすること（９３２）と、基地局のポジションデータに基づいて、ＭＥの、ロケーションと動きとのうちの少なくとも１つを近似すること（９３４）とを含んでもよい。
【００５９】
図１１を参照すると、決定することは、ＭＥと担当基地局とのうちの１つからの規定された距離内の基地局（例えば、マクロ基地局、フェムト基地局等）の隣接リストにアクセスすること（９４０）と、隣接リストを使用して、基地局のポジションデータにアクセスすること（９４２）と、基地局のポジションデータに基づいて、ＭＥの、ロケーションと動きとのうちの少なくとも１つを近似すること（９４４）とを含んでもよい。代替実施形態では、または、加えて、決定することは、９５０において、ＭＥが位置付けられている地理的エリア内の、担当セルとローミングセルとのうちの少なくとも１つに関する発見的データを使用して、ＭＥの、ロケーションと動きとのうちの少なくとも１つを近似することを含んでもよい。代替実施形態では、または、加えて、決定することは、９６０において、ＭＥが電源投入されたことに応答して、テクノロジーオーダーテーブル（ＴＯＴ）を使用して、ＭＥのロケーションを近似することを含んでもよい。決定することは、９６２において、好ましいシステムスキャンを、ＴＯＴ上の利用可能なシステムのサブセットに集中させることをさらに含んでもよい。
【００６０】
図１２を参照すると、調節することは、９７０において、動きが最小の動きしきい値を満たすことを検出することに応答して、タイマーを減少させることを含んでもよい。代替実施形態では、または、加えて、調節することは、９８０において、動きが最小の動きしきい値を満たさないことを検出することに応答して、タイマーを増加させることを含んでもよい。代替実施形態では、または、加えて、調節することは、９９０において、（ａ）以前のＭＥロケーションと比較したＭＥロケーションにおける変化がロケーション変化しきい値を満たすことと、（ｂ）ＭＥと好ましいシステムとの間の距離における減少と、のうちの少なくとも１つを検出することに応答して、タイマーを減少させることを含んでもよい。以前のＭＥロケーションは、以前の好ましいシステムが獲得されたときにＭＥがどこに存在していたかに対応してもよい。代替実施形態では、または、加えて、調節することは、１０００において、以前のＭＥロケーションと比較したＭＥロケーションにおける変化がロケーション変化しきい値を満たさないことを検出することに応答して、タイマーを増加させることを含んでもよい。方法９００は、１００２において、帯域および／またはＲＡＴの、ＭＣＣに特有な、あるいは、ＭＣＣ／ＭＮＣに特有なリスティングを含むテーブルに基づいて、ＭＥによりサポートされた、帯域および／またはＲＡＴのサブセットに、所定の好ましいシステムスキャンを制限することを伴ってもよいことに留意するべきである。
【００６１】
図１３を参照すると、方法９００は、１０１０において、システム優先度リストにしたがって、好ましいシステムスキャンを実行することを伴ってもよい。実行することは、１０２０において、ＭＥが位置付けられているロケーショングループを識別することを含んでもよく、ロケーショングループは、地理的エリア中の複数のシステムを含む。実行することは、１０２２において、地理的エリア中の複数のシステムをランク順序付けすることにより、システム優先度リストを構築することをさらに含んでもよい。識別することは、１０２４において、ＭＥの最も最近使用した周波数をスキャンすることを含んでもよい。加えて、方法９００は、規定された期間中にＭＥが訪れた以前のシステムをキャッシュすること（１０３０）と、好ましいシステムスキャンの間に、以前のシステムのうちの少なくとも１つに関係する、所定の周波数と所定のセルとのうちの少なくとも１つを避けること（１０３２）とを含んでもよい。
【００６２】
ここで記述した実施形態の１つ以上の態様にしたがって、マルチモードシステムスキャンのタイミングを最適化するデバイスおよび装置が提供されている。図１４を参照すると、ＭＥとして、あるいは、ＭＥ内で使用する、プロセッサまたは類似したデバイスとして、構成することができる例示的な装置１４００が提供されている。描写されているように、装置１４００は、プロセッサ、ソフトウェア、またはこれらの組み合わせ（例えば、ファームウェア）により実現される機能を表すことができる機能ブロックを含んでもよい。図示されているように、１つの実施形態では、装置１４００は、ＭＥの、ロケーションと動きとのうちの少なくとも１つを決定する電気コンポーネントまたはモジュール１４０２を備えていてもよい。装置１４００は、ＭＥの、ロケーションと動きとのうちの少なくとも１つに基づいて、好ましいシステムスキャン間のタイマー（例えば、デフォルトタイマーまたは予め規定されたタイマー）を調節する電気コンポーネント１４０４を備えていてもよい。
【００６３】
関連する態様では、装置１４００は、オプション的に、装置１４００のケースでは、プロセッサとしてよりもむしろ通信ネットワークエンティティとして構成されている少なくとも１つのプロセッサを有するプロセッサコンポーネント１４１０を備えていてもよい。プロセッサ１４１０は、このようなケースでは、バス１４１２または類似した通信カップリングを通して、コンポーネント１４０２〜１４０４と動作可能に通信していてもよい。プロセッサ１４１０は、電気コンポーネント１４０２〜１４０４により実行されるプロセスまたは機能の、初期化およびスケジューリングに影響を与えてもよい。
【００６４】
さらに関連する態様では、装置１４００は、無線トランシーバコンポーネント１４１４を備えていてもよい。トランシーバ１４１４の代わりに、あるいは、トランシーバ１４１４とともに、独立型の受信機および／または独立型の送信機を使用してもよい。装置１４００は、オプション的に、例えば、メモリデバイス／コンポーネント１４１６のような、情報を記憶するコンポーネントを備えていてもよい。コンピュータ読取可能媒体またはメモリコンポーネント１４１６は、バス１４１２またはこれに類するものを通して、装置１４００の他のコンポーネントに動作可能に結合していてもよい。コンポーネント１４０２〜１４０４と、それらのサブコンポーネントまたはプロセッサ１４１０とのプロセスおよび振る舞いに、あるいは、ここで開示した方法に影響を与えるための、コンピュータ読取可能命令およびデータを記憶するように、メモリコンポーネント１４１６を適合させることができる。メモリコンポーネント１４１６は、コンポーネント１４０２〜１４０４に関係する機能を実行するための命令を保持してもよい。メモリ１４１６に対して外部であるように示されているが、コンポーネント１４０２〜１４０４は、メモリ１４１６内に存在することができることを理解すべきである。
【００６５】
図１５を参照して、装置１４００は、ＭＥの動きを感知する電気コンポーネント１４２０を備えていてもよい。装置１４００は、ＧＰＳ信号を受信する電気コンポーネント１４３０を備えてもよい。装置１４００は、サービシングセルと隣接するセルとのうちの１つに対するセル識別子を取得する電気コンポーネント１４４０と、セル識別子を使用して、担当セルと隣接するセルとのうちの１つに関係する基地局のポジションデータにアクセスする電気コンポーネント１４４２と、基地局のポジションデータに基づいて、ＭＥの、ロケーションと動きとのうちの少なくとも１つを近似する電気コンポーネント１４４４とを備えてもよい。装置１４００は、ＭＥが位置付けられている地理的エリア内の、担当セルとローミングセルとのうちの少なくとも１つに関する発見的データを使用して、ＭＥの、ロケーションと動きとのうちの少なくとも１つを近似する電気コンポーネント１４５０を備えてもよい。
【００６６】
図１６を参照すると、装置１４００は、動きが最小の動きしきい値を満たすことを検出することに応答して、タイマーを減少させる電気コンポーネント１４６０を備えてもよい。装置１４００は、動きが最小の動きしきい値を満たさないことを検出することに応答して、タイマーを増加させる電気コンポーネント１４７０を備えてもよい。装置１４００は、（ａ）以前のＭＥロケーションと比較したＭＥロケーションにおける変化がロケーション変化しきい値を満たすことと、（ｂ）ＭＥと好ましいシステムとの間の距離における減少と、のうちの少なくとも１つを検出することに応答して、タイマーを減少させる電気コンポーネント１４８０を備えてもよい。装置１４００は、以前のＭＥロケーションと比較したＭＥロケーションにおける変化がロケーション変化しきい値を満たさないことを検出することに応答して、タイマーを増加させる電気コンポーネント１４９０を備えてもよい。
【００６７】
開示したプロセスにおけるステップの特有な順序または階層が、例示的なアプローチの実例であることを理解すべきである。設計選択に基づいて、本開示の範囲内である限り、プロセスにおけるステップの特有な順序または階層は再構成してもよいことを理解すべきである。添付している方法の請求項は、サンプルの順序におけるさまざまなステップのエレメントを提示しており、提示した特有な順序または階層に限定されることを意味していない。
【００６８】
当業者は、さまざまな異なる技術および技法のうちの任意のものを使用して、情報および信号を表してもよいことを理解するであろう。例えば、上記の記述全体を通して参照されうるデータ、命令、コマンド、情報、信号、ビット、シンボル、およびチップは、電圧、電流、電磁波、磁界または磁粒、光界または光粒、あるいは、これらの任意の組み合わせたものにより表してもよい。
【００６９】
ここで開示した実施形態に関連して記述した、さまざまな例示的な論理ブロック、モジュール、回路、およびアルゴリズムステップを、電子ハードウェア、コンピュータソフトウェア、または、双方を組み合わせたものとして実現してもよいことを、より正しく認識するだろう。ハードウェアおよびソフトウェアのこの交換可能性を明確に示すために、さまざまな例示的なコンポーネント、ブロック、モジュール、回路、およびステップを、概してこれらの機能性に関して上述した。このような機能性がハードウェアまたはソフトウェアとして実現されるか否かは、特定の応用、および、システム全体に課せられた設計の制約に依存する。熟練者は、各特定の応用に対して変化する方法で、記述した機能性を実現してもよいが、そのような実現の決定は、本開示の範囲からの逸脱を生じさせるものとして解釈されるべきではない。
【００７０】
ここで開示した実施形態に関連して記述した、さまざまな例示的な論理ブロック、モジュール、および回路は、追加的に、または、代替的に、汎用プロセッサ、デジタル信号プロセッサ（ＤＳＰ）、特定用途向け集積回路（ＡＳＩＣ）、現場プログラム可能ゲートアレイ（ＦＰＧＡ）または他のプログラム可能論理デバイス、ディスクリートゲートまたはトランジスタ論理、ディスクリートハードウェアコンポーネント、あるいは、ここに記述した機能を実行するように設計されているこれらの任意の組み合わせたものにより、実現または実行できる。汎用プロセッサはマイクロプロセッサとすることができるが、代替実施形態では、プロセッサは、任意の従来のプロセッサ、制御装置、マイクロ制御装置、状態機械、またはこれらに類するものとすることができる。プロセッサはまた、例えば、ＤＳＰおよびマイクロプロセッサを組み合わせたものや、複数のマイクロプロセッサや、ＤＳＰコアを伴う１つ以上のマイクロプロセッサや、任意のその他のこのようなコンフィギュレーションのような、コンピューティングデバイスを組み合わせたものとして実現できる。
【００７１】
１つ以上の例示的な実施形態では、記述した機能は、ハードウェアで、ソフトウェアで、ファームウェアで、または、これらの任意の組み合わせで実現することができる。ソフトウェアで実現された場合、機能は、１つ以上の命令またはコードとして、コンピュータ読取可能媒体上に記憶させることができ、あるいは、コンピュータ読取可能媒体を通して送信することができる。コンピュータ読取可能媒体は、１つの場所から別の場所へのコンピュータプログラムの転送を促進する何らかの媒体を含む、コンピュータ記憶媒体および通信媒体の双方を含む。記憶媒体は、コンピュータによりアクセスできる何らかの利用可能な媒体であってもよい。例として、これらに限定されないが、このようなコンピュータ記憶媒体は、ＲＡＭ、ＲＯＭ、ＥＥＰＲＯＭ、ＣＤ−ＲＯＭまたは他の光ディスク記憶装置、磁気ディスク記憶装置もしくは他の磁気記憶デバイス、あるいは、コンピュータによりアクセスでき、命令またはデータ構造の形態で所望のプログラムコードを伝送または記憶するために使用できる他の何らかの媒体を含むことができる。また、任意の接続は、適切にコンピュータ読取可能媒体と呼ばれる。例えば、ソフトウェアが、同軸ケーブルや、光ファイバケーブルや、撚り対や、ＤＳＬや、または赤外線、無線、およびマイクロ波のようなワイヤレス技術を使用して、ウェブサイト、サーバ、または他の遠隔ソースから送信された場合、同軸ケーブルや、光ファイバケーブルや、撚り対や、ＤＳＬや、または赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。上記のものの組み合わせも、コンピュータ読取可能媒体の範囲内に含めるべきである。
【００７２】
開示した実施形態の先の記述は、当業者が本開示を製作または使用できるように提供した。それらの実施形態に対するさまざま改良は当業者に容易に明らかとなり、ここに規定した一般的な原理は、本開示の精神または範囲から逸脱することなく、他の実施形態に適用することができる。したがって、本開示は、ここで示した実施形態に限定されることを意図しているものではなく、ここで開示した原理および新しい特徴と一致した最も広い範囲に一致させるべきである。
【図１】
2013502855.tif 000003
【図２】
2013502855.tif 000004
【図３】
2013502855.tif 000005
【図４】
2013502855.tif 000006
【図５】
2013502855.tif 000007
【図６】
2013502855.tif 000008
【図７】
2013502855.tif 000009
【図８】
2013502855.tif 000010
【図９】
2013502855.tif 000011
【図１０】
2013502855.tif 000012
【図１１】
2013502855.tif 000013
【図１２】
2013502855.tif 000014
【図１３】
2013502855.tif 000015
【図１４】
2013502855.tif 000016
【図１５】
2013502855.tif 000017
【図１６】
2013502855.tif 000018
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
ワイヤレス通信システム中で移動体エンティティ（ＭＥ）により動作可能な方法において、
前記ＭＥの、ロケーションと動きとのうちの少なくとも１つを決定することと、
前記ＭＥの、前記ロケーションと前記動きとのうちの少なくとも１つに基づいて、好ましいシステムスキャン間のタイマーを調節することとを含む方法。
【請求項２】
決定することは、動きセンサを利用して、前記ＭＥの前記動きを検出することを含む請求項１記載の方法。
【請求項３】
前記動きセンサは、加速度計と電圧制御発振器（ＶＣＯ）累算器とのうちの少なくとも１つを含む請求項２記載の方法。
【請求項４】
決定することは、グローバルポジショニングシステム（ＧＰＳ）から信号を受信することを含む請求項１記載の方法。
【請求項５】
決定することは、
サービシングセルと隣接するセルとのうちの１つに対するセル識別子を取得することと、
前記セル識別子を使用して、前記担当セルと前記隣接するセルとのうちの１つに関係する基地局のポジションデータにアクセスすることと、
前記基地局のポジションデータに基づいて、前記ＭＥの、前記ロケーションと前記動きとのうちの少なくとも１つを近似することとを含む請求項１記載の方法。
【請求項６】
決定することは、
前記ＭＥと担当基地局とのうちの１つからの規定された距離内の基地局の隣接リストにアクセスすることと、
前記隣接リストを使用して、前記基地局のポジションデータにアクセスすることと、
前記基地局のポジションデータに基づいて、前記ＭＥの、前記ロケーションと前記動きとの少なくとも１つを近似することとを含む請求項１記載の方法。
【請求項７】
基地局は、マクロ基地局とフェムト基地局とのうちの少なくとも１つを含む請求項６記載の方法。
【請求項８】
決定することは、前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似することを含む請求項１記載の方法。
【請求項９】
決定することは、前記ＭＥが電源投入されたことに応答して、テクノロジーオーダーテーブル（ＴＯＴ）を使用して、前記ＭＥの前記ロケーションを近似することを含む請求項１記載の方法。
【請求項１０】
前記ＴＯＴ上の利用可能なシステムのサブセットに、好ましいシステムスキャンを集中させることをさらに含む請求項９記載の方法。
【請求項１１】
調節することは、前記動きが最小の動きしきい値を満たすことを検出することに応答して、前記タイマーを減少させることを含む請求項１記載の方法。
【請求項１２】
調節することは、前記動きが最小の動きしきい値を満たさないことを検出することに応答して、前記タイマーを増加させることを含む請求項１記載の方法。
【請求項１３】
調節することは、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させることを含む請求項１記載の方法。
【請求項１４】
前記以前のＭＥロケーションは、前記以前の好ましいシステムが捕捉されたときに、前記ＭＥがどこに存在していたかに対応している請求項１３記載の方法。
【請求項１５】
調節することは、以前のＭＥロケーションと比較した前記ＭＥロケーションにおける変化が、ロケーション変化しきい値を満たさないことを検出することに応答して、前記タイマーを増加させることを含む請求項１記載の方法。
【請求項１６】
マルチモードロケーションアソシエーション優先度リスト（ＭＬＰＬ）にしたがって、好ましいシステムスキャンを実行することをさらに含む請求項１記載の方法。
【請求項１７】
実行することは、前記ＭＥが位置付けられているロケーショングループを識別することを含み、前記ロケーショングループは、地理的エリア中の複数のシステムを含む請求項１６記載の方法。
【請求項１８】
実行することは、前記地理的エリア中の前記複数のシステムをランク順序付けすることにより、前記システム優先度リストを構築することをさらに含む請求項１７記載の方法。
【請求項１９】
識別することは、前記ＭＥの最も最近使用した周波数をスキャンすることを含む請求項１７記載の方法。
【請求項２０】
規定された期間中に前記ＭＥが訪れた以前のシステムをキャッシュすることと、
好ましいシステムスキャンの間、前記以前のシステムのうちの少なくとも１つに関係する、所定の周波数と所定のセルとのうちの少なくとも１つを避けることとをさらに含む請求項１記載の方法。
【請求項２１】
前記タイマーは、複数の利用可能なシステムに対するデフォルトタイマーを含む請求項１記載の方法。
【請求項２２】
帯域および無線アクセス技術（ＲＡＴ）の、移動体国コード（ＭＣＣ）特有な、または、ＭＣＣ／移動体ネットワークコード（ＭＮＣ）特有なリスティングを含むテーブルに基づいて、前記ＭＥによりサポートされる前記帯域と前記ＲＡＴとのサブセットに、所定の好ましいシステムスキャンを制限することをさらに含む請求項１記載の方法。
【請求項２３】
装置において、
移動体エンティティ（ＭＥ）の、ロケーションと動きとのうちの少なくとも１つを決定し、前記ＭＥの、前記ロケーションと前記動きとのうちの少なくとも１つに基づいて、好ましいシステムスキャン間のタイマーを調節するように構成されている少なくとも１つのプロセッサと、
前記少なくとも１つのプロセッサに結合され、データを記憶するメモリとを具備する装置。
【請求項２４】
前記ＭＥの前記動きを検出する動きセンサをさらに具備する請求項２３記載の装置。
【請求項２５】
前記少なくとも１つのプロセッサと動作不能に通信するグローバルポジショニングシステム（ＧＰＳ）受信機をさらに具備する請求項２３記載の装置。
【請求項２６】
前記少なくとも１つのプロセッサは、
サービシングセルと隣接するセルとのうちの１つに対するセル識別子を取得し、
前記セル識別子を使用して、前記担当セルと前記隣接するセルとのうちの１つに関係する基地局のポジションデータにアクセスし、
前記基地局のポジションデータに基づいて、前記ＭＥの、前記ロケーションと前記動きとのうちの少なくとも１つを近似する請求項２３記載の装置。
【請求項２７】
前記少なくとも１つのプロセッサは、前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似する請求項２３記載の装置。
【請求項２８】
前記少なくとも１つのプロセッサは、前記動きが最小の動きしきい値を満たすことを検出することに応答して、前記タイマーを減少させる請求項２３記載の装置。
【請求項２９】
前記少なくとも１つのプロセッサは、前記動きが最小の動きしきい値を満たさないことを検出することに応答して、前記タイマーを増加させる請求項２３記載の装置。
【請求項３０】
前記少なくとも１つのプロセッサは、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させる請求項２３記載の装置。
【請求項３１】
前記少なくとも１つのプロセッサは、以前のＭＥロケーションと比較した前記ＭＥロケーションにおける変化が、ロケーション変化しきい値を満たさないことを検出することに応答して、前記タイマーを増加させる請求項２３記載の装置。
【請求項３２】
前記少なくとも１つのプロセッサは、システム優先度リストにしたがって、好ましいシステムスキャンを実行する請求項２３記載の装置。
【請求項３３】
前記タイマーは、複数の利用可能なシステムに対するデフォルトタイマーを含む請求項２３記載の装置。
【請求項３４】
帯域および無線アクセス技術（ＲＡＴ）の、移動体国コード（ＭＣＣ）特有な、または、ＭＣＣ／移動体ネットワークコード（ＭＮＣ）特有なリスティングを含むテーブルに基づいて、前記ＭＥによりサポートされる前記帯域と前記ＲＡＴとのサブセットに、所定の好ましいシステムスキャンを制限することをさらに含む請求項２３記載の装置。
【請求項３５】
装置において、
移動体エンティティ（ＭＥ）の、ロケーションと動きとのうちの少なくとも１つを決定する手段と、
前記ＭＥの、前記ロケーションと前記動きとのうちの少なくとも１つに基づいて、好ましいシステムスキャン間のタイマーを調節する手段とを具備する装置。
【請求項３６】
前記ＭＥの前記動きを感知する手段をさらに具備する請求項３５記載の装置。
【請求項３７】
グローバルポジショニングシステム（ＧＰＳ）信号を受信する手段をさらに具備する請求項３５記載の装置。
【請求項３８】
サービシングセルと隣接するセルとのうちの１つに対するセル識別子を取得する手段と、
前記セル識別子を使用して、前記担当セルと前記隣接するセルとのうちの１つに関係する基地局のポジションデータにアクセスする手段と、
前記基地局のポジションデータに基づいて、前記ＭＥの、前記ロケーションと前記動きとのうちの少なくとも１つを近似する手段とをさらに具備する請求項３５記載の装置。
【請求項３９】
前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似する手段をさらに具備する請求項３５記載の装置。
【請求項４０】
前記動きが最小の動きしきい値を満たすことを検出することに応答して、前記タイマーを減少させる手段をさらに具備する請求項３５記載の装置。
【請求項４１】
前記動きが最小の動きしきい値を満たさないことを検出することに応答して、前記タイマーを増加させる手段をさらに具備する請求項３５記載の装置。
【請求項４２】
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させる手段をさらに具備する請求項３５記載の装置。
【請求項４３】
以前のＭＥロケーションと比較した前記ＭＥロケーションにおける変化が、ロケーション変化しきい値を満たさないことを検出することに応答して、前記タイマーを増加させる手段をさらに具備する請求項３５記載の装置。
【請求項４４】
システム優先度リストにしたがって、好ましいシステムスキャンを実行する手段をさらに具備する請求項３５記載の装置。
【請求項４５】
コンピュータプログラムプロダクトにおいて、
コンピュータ読取可能媒体を含み、
前記コンピュータ読取可能媒体は、
移動体エンティティ（ＭＥ）の、ロケーションと動きとのうちの少なくとも１つをコンピュータに決定させるためのコードと、
前記ＭＥの、前記ロケーションと前記動きとのうちの少なくとも１つに基づいて、好ましいシステムスキャン間のタイマーを前記コンピュータに調節させるためのコードとを有するコンピュータプログラムプロダクト。
【請求項４６】
前記コンピュータ読取可能媒体は、前記ＭＥの前記動きを前記コンピュータに感知させるためのコードをさらに含む請求項４５記載のコンピュータプログラムプロダクト。
【請求項４７】
前記コンピュータ読取可能媒体は、グローバルポジショニングシステム（ＧＰＳ）信号を前記コンピュータに受信させるためのコードをさらに含む請求項４５記載のコンピュータプログラムプロダクト。
【請求項４８】
前記コンピュータ読取可能媒体は、
サービシングセルと隣接するセルとのうちの１つに対するセル識別子を前記コンピュータに取得させるためのコードと、
前記コンピュータに、前記セル識別子を使用させて、前記担当セルと前記隣接するセルとのうちの１つに関係する基地局のポジションデータにアクセスさせるためのコードと、
前記基地局のポジションデータに基づいて、前記ＭＥの、前記ロケーションと前記動きとのうちの少なくとも１つを前記コンピュータに近似させるためのコードとをさらに含む請求項４５記載のコンピュータプログラムプロダクト。
【請求項４９】
前記コンピュータ読取可能媒体は、前記コンピュータに、前記ＭＥが位置付けられている地理的エリア内の、担当セルとローミングセルとのうちの少なくとも１つに関する発見的データを使用させて、前記ＭＥの、前記ロケーションと前記動きとのうちの少なくとも１つを近似させるためのコードをさらに含む請求項４５記載のコンピュータプログラムプロダクト。
【請求項５０】
前記コンピュータ読取可能媒体は、前記動きが最小の動きしきい値を満たすことを検出することに応答して、前記タイマーを前記コンピュータに減少させるためのコードをさらに含む請求項４５記載のコンピュータプログラムプロダクト。
【請求項５１】
前記コンピュータ読取可能媒体は、前記動きが最小の動きしきい値を満たさないことを検出することに応答して、前記タイマーを前記コンピュータに増加させるためのコードをさらに含む請求項４５記載のコンピュータプログラムプロダクト。
【請求項５２】
前記コンピュータ読取可能媒体は、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを前記コンピュータに減少させるためのコードをさらに含む請求項４５記載のコンピュータプログラムプロダクト。
【請求項５３】
前記コンピュータ読取可能媒体は、以前のＭＥロケーションと比較した前記ＭＥロケーションにおける変化が、ロケーション変化しきい値を満たさないことを検出することに応答して、前記タイマーを前記コンピュータに増加させるためのコードをさらに含む請求項４５記載のコンピュータプログラムプロダクト。
【請求項５４】
前記コンピュータ読取可能媒体は、システム優先度リストにしたがって、好ましいシステムスキャンを前記コンピュータに実行させるためのコードをさらに含む請求項４５記載のコンピュータプログラムプロダクト。
【手続補正２】
【補正対象書類名】明細書
【補正対象項目名】００７２
【補正方法】変更
【補正の内容】
【００７２】
開示した実施形態の先の記述は、当業者が本開示を製作または使用できるように提供した。それらの実施形態に対するさまざま改良は当業者に容易に明らかとなり、ここに規定した一般的な原理は、本開示の精神または範囲から逸脱することなく、他の実施形態に適用することができる。したがって、本開示は、ここで示した実施形態に限定されることを意図しているものではなく、ここで開示した原理および新しい特徴と一致した最も広い範囲に一致させるべきである。
以下に、本願出願時の特許請求の範囲に記載された発明を付記する。
［１］ワイヤレス通信システム中で移動体エンティティ（ＭＥ）により動作可能な方法において、
前記ＭＥの、ロケーションと動きとのうちの少なくとも１つを決定することと、
前記ＭＥの、前記ロケーションと前記動きとのうちの少なくとも１つに基づいて、好ましいシステムスキャン間のタイマーを調節することとを含む方法。
［２］決定することは、動きセンサを利用して、前記ＭＥの前記動きを検出することを含む［１］記載の方法。
［３］前記動きセンサは、加速度計と電圧制御発振器（ＶＣＯ）累算器とのうちの少なくとも１つを含む［２］記載の方法。
［４］決定することは、グローバルポジショニングシステム（ＧＰＳ）から信号を受信することを含む［１］記載の方法。
［５］決定することは、
サービシングセルと隣接するセルとのうちの１つに対するセル識別子を取得することと、
前記セル識別子を使用して、前記担当セルと前記隣接するセルとのうちの１つに関係する基地局のポジションデータにアクセスすることと、
前記基地局のポジションデータに基づいて、前記ＭＥの、前記ロケーションと前記動きとのうちの少なくとも１つを近似することとを含む［１］記載の方法。
［６］決定することは、
前記ＭＥと担当基地局とのうちの１つからの規定された距離内の基地局の隣接リストにアクセスすることと、
前記隣接リストを使用して、前記基地局のポジションデータにアクセスすることと、
前記基地局のポジションデータに基づいて、前記ＭＥの、前記ロケーションと前記動きとの少なくとも１つを近似することとを含む［１］記載の方法。
［７］基地局は、マクロ基地局とフェムト基地局とのうちの少なくとも１つを含む［６］記載の方法。
［８］決定することは、前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似することを含む［１］記載の方法。
［９］決定することは、前記ＭＥが電源投入されたことに応答して、テクノロジーオーダーテーブル（ＴＯＴ）を使用して、前記ＭＥの前記ロケーションを近似することを含む［１］記載の方法。
［１０］前記ＴＯＴ上の利用可能なシステムのサブセットに、好ましいシステムスキャンを集中させることをさらに含む［９］記載の方法。
［１１］調節することは、前記動きが最小の動きしきい値を満たすことを検出することに応答して、前記タイマーを減少させることを含む［１］記載の方法。
［１２］調節することは、前記動きが最小の動きしきい値を満たさないことを検出することに応答して、前記タイマーを増加させることを含む［１］記載の方法。
［１３］調節することは、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させることを含む［１］記載の方法。
［１４］前記以前のＭＥロケーションは、前記以前の好ましいシステムが捕捉されたときに、前記ＭＥがどこに存在していたかに対応している［１３］記載の方法。
［１５］調節することは、以前のＭＥロケーションと比較した前記ＭＥロケーションにおける変化が、ロケーション変化しきい値を満たさないことを検出することに応答して、前記タイマーを増加させることを含む［１］記載の方法。
［１６］マルチモードロケーションアソシエーション優先度リスト（ＭＬＰＬ）にしたがって、好ましいシステムスキャンを実行することをさらに含む［１］記載の方法。
［１７］実行することは、前記ＭＥが位置付けられているロケーショングループを識別することを含み、前記ロケーショングループは、地理的エリア中の複数のシステムを含む［１６］記載の方法。
［１８］実行することは、前記地理的エリア中の前記複数のシステムをランク順序付けすることにより、前記システム優先度リストを構築することをさらに含む［１７］記載の方法。
［１９］識別することは、前記ＭＥの最も最近使用した周波数をスキャンすることを含む［１７］記載の方法。
［２０］規定された期間中に前記ＭＥが訪れた以前のシステムをキャッシュすることと、
好ましいシステムスキャンの間、前記以前のシステムのうちの少なくとも１つに関係する、所定の周波数と所定のセルとのうちの少なくとも１つを避けることとをさらに含む［１］記載の方法。
［２１］前記タイマーは、複数の利用可能なシステムに対するデフォルトタイマーを含む［１］記載の方法。
［２２］帯域および無線アクセス技術（ＲＡＴ）の、移動体国コード（ＭＣＣ）特有な、または、ＭＣＣ／移動体ネットワークコード（ＭＮＣ）特有なリスティングを含むテーブルに基づいて、前記ＭＥによりサポートされる前記帯域と前記ＲＡＴとのサブセットに、所定の好ましいシステムスキャンを制限することをさらに含む［１］記載の方法。
［２３］装置において、
移動体エンティティ（ＭＥ）の、ロケーションと動きとのうちの少なくとも１つを決定し、前記ＭＥの、前記ロケーションと前記動きとのうちの少なくとも１つに基づいて、好ましいシステムスキャン間のタイマーを調節するように構成されている少なくとも１つのプロセッサと、
前記少なくとも１つのプロセッサに結合され、データを記憶するメモリとを具備する装置。
［２４］前記ＭＥの前記動きを検出する動きセンサをさらに具備する［２３］記載の装置。
［２５］前記少なくとも１つのプロセッサと動作不能に通信するグローバルポジショニングシステム（ＧＰＳ）受信機をさらに具備する［２３］記載の装置。
［２６］前記少なくとも１つのプロセッサは、
サービシングセルと隣接するセルとのうちの１つに対するセル識別子を取得し、
前記セル識別子を使用して、前記担当セルと前記隣接するセルとのうちの１つに関係する基地局のポジションデータにアクセスし、
前記基地局のポジションデータに基づいて、前記ＭＥの、前記ロケーションと前記動きとのうちの少なくとも１つを近似する［２３］記載の装置。
［２７］前記少なくとも１つのプロセッサは、前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似する［２３］記載の装置。
［２８］前記少なくとも１つのプロセッサは、前記動きが最小の動きしきい値を満たすことを検出することに応答して、前記タイマーを減少させる［２３］記載の装置。
［２９］前記少なくとも１つのプロセッサは、前記動きが最小の動きしきい値を満たさないことを検出することに応答して、前記タイマーを増加させる［２３］記載の装置。
［３０］前記少なくとも１つのプロセッサは、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させる［２３］記載の装置。
［３１］前記少なくとも１つのプロセッサは、以前のＭＥロケーションと比較した前記ＭＥロケーションにおける変化が、ロケーション変化しきい値を満たさないことを検出することに応答して、前記タイマーを増加させる［２３］記載の装置。
［３２］前記少なくとも１つのプロセッサは、システム優先度リストにしたがって、好ましいシステムスキャンを実行する［２３］記載の装置。
［３３］前記タイマーは、複数の利用可能なシステムに対するデフォルトタイマーを含む［２３］記載の装置。
［３４］帯域および無線アクセス技術（ＲＡＴ）の、移動体国コード（ＭＣＣ）特有な、または、ＭＣＣ／移動体ネットワークコード（ＭＮＣ）特有なリスティングを含むテーブルに基づいて、前記ＭＥによりサポートされる前記帯域と前記ＲＡＴとのサブセットに、所定の好ましいシステムスキャンを制限することをさらに含む［２３］記載の装置。
［３５］装置において、
移動体エンティティ（ＭＥ）の、ロケーションと動きとのうちの少なくとも１つを決定する手段と、
前記ＭＥの、前記ロケーションと前記動きとのうちの少なくとも１つに基づいて、好ましいシステムスキャン間のタイマーを調節する手段とを具備する装置。
［３６］前記ＭＥの前記動きを感知する手段をさらに具備する［３５］記載の装置。
［３７］グローバルポジショニングシステム（ＧＰＳ）信号を受信する手段をさらに具備する［３５］記載の装置。
［３８］サービシングセルと隣接するセルとのうちの１つに対するセル識別子を取得する手段と、
前記セル識別子を使用して、前記担当セルと前記隣接するセルとのうちの１つに関係する基地局のポジションデータにアクセスする手段と、
前記基地局のポジションデータに基づいて、前記ＭＥの、前記ロケーションと前記動きとのうちの少なくとも１つを近似する手段とをさらに具備する［３５］記載の装置。
前記ＭＥが位置付けられている地理的エリア内の、担当セルとローミングセルとのうちの少なくとも１つに関する発見的データを使用して、前記ＭＥの、前記ロケーションと前記動きとのうちの少なくとも１つを近似する手段をさらに具備する［３５］記載の装置。
［３９］前記動きが最小の動きしきい値を満たすことを検出することに応答して、前記タイマーを減少させる手段をさらに具備する［３５］記載の装置。
［４０］前記動きが最小の動きしきい値を満たさないことを検出することに応答して、前記タイマーを増加させる手段をさらに具備する［３５］記載の装置。
［４１］以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを減少させる手段をさらに具備する［３５］記載の装置。
［４２］以前のＭＥロケーションと比較した前記ＭＥロケーションにおける変化が、ロケーション変化しきい値を満たさないことを検出することに応答して、前記タイマーを増加させる手段をさらに具備する［３５］記載の装置。
［４３］システム優先度リストにしたがって、好ましいシステムスキャンを実行する手段をさらに具備する［３５］記載の装置。
［４４］コンピュータプログラムプロダクトにおいて、
コンピュータ読取可能媒体を含み、
前記コンピュータ読取可能媒体は、
移動体エンティティ（ＭＥ）の、ロケーションと動きとのうちの少なくとも１つをコンピュータに決定させるためのコードと、
前記ＭＥの、前記ロケーションと前記動きとのうちの少なくとも１つに基づいて、好ましいシステムスキャン間のタイマーを前記コンピュータに調節させるためのコードとを有するコンピュータプログラムプロダクト。
［４５］前記コンピュータ読取可能媒体は、前記ＭＥの前記動きを前記コンピュータに感知させるためのコードをさらに含む［４４］記載のコンピュータプログラムプロダクト。
［４６］前記コンピュータ読取可能媒体は、グローバルポジショニングシステム（ＧＰＳ）信号を前記コンピュータに受信させるためのコードをさらに含む［４４］記載のコンピュータプログラムプロダクト。
［４７］前記コンピュータ読取可能媒体は、
サービシングセルと隣接するセルとのうちの１つに対するセル識別子を前記コンピュータに取得させるためのコードと、
前記コンピュータに、前記セル識別子を使用させて、前記担当セルと前記隣接するセルとのうちの１つに関係する基地局のポジションデータにアクセスさせるためのコードと、
前記基地局のポジションデータに基づいて、前記ＭＥの、前記ロケーションと前記動きとのうちの少なくとも１つを前記コンピュータに近似させるためのコードとをさらに含む［４４］記載のコンピュータプログラムプロダクト。
［４８］前記コンピュータ読取可能媒体は、前記コンピュータに、前記ＭＥが位置付けられている地理的エリア内の、担当セルとローミングセルとのうちの少なくとも１つに関する発見的データを使用させて、前記ＭＥの、前記ロケーションと前記動きとのうちの少なくとも１つを近似させるためのコードをさらに含む［４４］記載のコンピュータプログラムプロダクト。
［４９］前記コンピュータ読取可能媒体は、前記動きが最小の動きしきい値を満たすことを検出することに応答して、前記タイマーを前記コンピュータに減少させるためのコードをさらに含む［４４］記載のコンピュータプログラムプロダクト。
［５０］前記コンピュータ読取可能媒体は、前記動きが最小の動きしきい値を満たさないことを検出することに応答して、前記タイマーを前記コンピュータに増加させるためのコードをさらに含む［４４］記載のコンピュータプログラムプロダクト。
［５１］前記コンピュータ読取可能媒体は、
以前のＭＥロケーションと比較した前記ＭＥロケーションにおける変化がロケーション変化しきい値を満たすことと、
前記ＭＥと好ましいシステムとの間の距離における減少と、のうちの少なくとも１つを検出することに応答して、前記タイマーを前記コンピュータに減少させるためのコードをさらに含む［４４］記載のコンピュータプログラムプロダクト。
［５２］前記コンピュータ読取可能媒体は、以前のＭＥロケーションと比較した前記ＭＥロケーションにおける変化が、ロケーション変化しきい値を満たさないことを検出することに応答して、前記タイマーを前記コンピュータに増加させるためのコードをさらに含む［４４］記載のコンピュータプログラムプロダクト。
［５３］前記コンピュータ読取可能媒体は、システム優先度リストにしたがって、好ましいシステムスキャンを前記コンピュータに実行させるためのコードをさらに含む［４４］記載のコンピュータプログラムプロダクト。
【国際調査報告】
2013502855.tif 000019
2013502855.tif 000020
2013502855.tif 000021